【手続補正書】
【提出日】平成15年7月10日(2003.7.10)
【手続補正１】
【補正対象書類名】明細書
【補正対象項目名】特許請求の範囲
【補正方法】変更
【補正の内容】
【特許請求の範囲】
【請求項１】
可撓性または弾性を有するラックと、
前記ラックに沿って移動可能なキャリッジと、
前記キャリッジに設けられ、前記ラックと圧接状態で歯合するピニオンと、
前記キャリッジに設けられ、前記ピニオンと接続するインクリボン巻き取り駆動伝達機構とを備え、
前記ラックは支点である一端と自由端である他端とを有し、前記ラックの他端にはラックの可撓性または弾性方向を前記ラックの圧接方向に規制するガイドが形成されていることを特徴とするプリンタにおけるインクリボンの巻き取り装置。
【請求項２】
請求項１において、前記ガイドは前記ラックに形成される長穴と、該長穴に係合する固定ピンとから構成されることを特徴とするプリンタにおけるインクリボンの巻き取り装置。
【請求項３】
剛性を備えるラックと、
前記ラックに沿って移動可能なキャリッジと、
前記キャリッジに設けられ、前記ラックと歯合するピニオンと、
前記キャリッジに設けられ、前記ピニオンと接続するインクリボン巻き取り駆動伝達機構とを備え、
前記ラックは前記ピニオンに対して常時付勢された状態で移動可能であることを特徴とするプリンタにおけるインクリボンの巻き取り装置。
【請求項４】
請求項３において、前記ラックは支点である一端と自由端である他端とを有し、前記ラックの他端には前記ラックを前記ピニオンに付勢する付勢手段が接続されていることを特徴とするプリンタにおけるインクリボンの巻き取り装置。
【請求項５】
請求項４において、前記ラックの他端には該他端の移動方向を前記ピニオンへの付勢方向に規制するガイドが設けられていることを特徴とするプリンタにおけるインクリボンの巻き取り装置。
【請求項６】
請求項３において、前記ラックの両端は自由端であり、前記ラックの両端には前記ラックを前記ピニオンに付勢する付勢手段が接続されていることを特徴とするプリンタにおけるインクリボンの巻き取り装置。
【請求項７】
請求項６において、前記ラックの両端には該両端の移動方向を前記ピニオンへの付勢方向に規制するガイドが設けられていることを特徴とするプリンタにおけるインクリボンの巻き取り装置。
【請求項８】
請求項５または７において、前記ガイドは前記ラックに形成される長穴と、該長穴に係合する固定ピンとから構成されることを特徴とするプリンタにおけるインクリボンの巻き取り装置。
【請求項９】
請求項１〜８のいずれかにおいて、前記キャリッジはペーパーギャップを調節するために移動可能であることを特徴とするプリンタにおけるインクリボンの巻き取り装置。
【請求項１０】
請求項１〜９のいずれかに記載されたプリンタにおけるインクリボンの巻き取り装置を備えることを特徴とするプリンタ。
【手続補正２】
【補正対象書類名】明細書
【補正対象項目名】００１１
【補正方法】変更
【補正の内容】
【００１１】
【課題を解決するための手段】
上記課題を達成するため、本願請求項１に記載されたプリンタにおけるインクリボンの巻き取り装置は、可撓性または弾性を有するラックと、前記ラックに沿って移動可能なキャリッジと、前記キャリッジに設けられ、前記ラックと圧接状態で歯合するピニオンと、前記キャリッジに設けられ、前記ピニオンと接続するインクリボン巻き取り駆動伝達機構とを備え、前記ラックは支点である一端と自由端である他端とを有し、前記ラックの他端にはラックの可撓性または弾性方向を前記ラックの圧接方向に規制するガイドが形成されていることを特徴とするものである。


【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、ラックとピニオンとの相対位置関係が変化した場合、ラックの一端を支点としてラックの他端が回動しながら、ガイドによりラックがその圧接方向にのみ撓みあるいは弾性変形する。これによりラックが滑らかな円弧を描いた状態でピニオンとの歯合状態を維持する。


【手続補正５】
【補正対象書類名】明細書
【補正対象項目名】００１５
【補正方法】変更
【補正の内容】
【００１５】
また、本願請求項２に記載の発明は、請求項１に記載されたプリンタにおけるインクリボンの巻き取り装置において、前記ガイドは前記ラックに形成される長穴と、該長穴に係合する固定ピンとから構成されることを特徴とするものである。本発明によれば、ラックが撓みあるいは弾性変形するときに、長穴が固定ピンに案内されるようにして変形するため、ラックとピニオンとの相対距離の変化した方向にのみ選択的に変形することができる。


【手続補正６】
【補正対象書類名】明細書
【補正対象項目名】００１６
【補正方法】変更
【補正の内容】
【００１６】
また、本願請求項３に記載のプリンタにおけるインクリボンの巻き取り装置は、剛性を備えるラックと、前記ラックに沿って移動可能なキャリッジと、前記キャリッジに設けられ、前記ラックと歯合するピニオンと、前記キャリッジに設けられ、前記ピニオンと接続するインクリボン巻き取り駆動伝達機構とを備え、前記ラックは前記ピニオンに対して常時付勢された状態で移動可能であることを特徴とするものである。


【手続補正７】
【補正対象書類名】明細書
【補正対象項目名】００１８
【補正方法】変更
【補正の内容】
【００１８】
また、本願請求項４に記載の発明は、請求項３に記載されたプリンタにおけるインクリボンの巻き取り装置において、前記ラックは支点である一端と自由端である他端とを有し、前記ラックの他端には前記ラックを前記ピニオンに付勢する付勢手段が接続されていることを特徴とするものである。本発明によれば、ラックとピニオンとの相対位置関係が変化しても、付勢手段の付勢力によりラックの一端を支点としてラックが回動するため、ラックとピニオンとの歯合状態を常に維持することができる。


【手続補正８】
【補正対象書類名】明細書
【補正対象項目名】００１９
【補正方法】変更
【補正の内容】
【００１９】
また、本願請求項５に記載の発明は、請求項４に記載されたプリンタにおけるインクリボンの巻き取り装置において、前記ラックの他端には該他端の移動方向を前記ピニオンへの付勢方向に規制するガイドが設けられていることを特徴とするものである。本発明によれば、ラックとピニオンとの相対位置関係が変化したときに、ラックが確実にピニオンに対して正しく歯合するようにガイドに沿って移動することができる。


【手続補正９】
【補正対象書類名】明細書
【補正対象項目名】００２０
【補正方法】変更
【補正の内容】
【００２０】
また、本願請求項６に記載の発明は、請求項３に記載されたプリンタにおけるインクリボンの巻き取り装置において、前記ラックの両端は自由端であり、前記ラックの両端には前記ラックを前記ピニオンに付勢する付勢手段が接続されていることを特徴とするものである。本発明によれば、ピニオンがラックと歯合している位置に関係なく、ほぼ一定の付勢力でラックがピニオンに歯合することができる。


【手続補正１０】
【補正対象書類名】明細書
【補正対象項目名】００２１
【補正方法】変更
【補正の内容】
【００２１】
また、本願請求項７に記載の発明は、請求項６に記載されたプリンタにおけるインクリボンの巻き取り装置において、前記ラックの両端には該両端の移動方向を前記ピニオンへの付勢方向に規制するガイドが設けられていることことを特徴とするものである。本発明によれば、ラックとピニオンとの相対位置関係が変化したときに、ラックが確実にピニオンに対して正しく歯合するようにガイドに沿って移動することができる。


【手続補正１１】
【補正対象書類名】明細書
【補正対象項目名】００２２
【補正方法】変更
【補正の内容】
【００２２】
また、本願請求項８に記載の発明は、請求項５または７に記載されたプリンタにおけるインクリボンの巻き取り装置において、前記ガイドは前記ラックに形成される長穴と、該長穴に係合する固定ピンとから構成されることを特徴とするものである。本発明によれば、ラックとピニオンとの相対位置関係が変化したときに、長穴が固定ピンに案内されるようにしてラックが移動するため、ラックとピニオンとの相対距離の変化した方向にのみ選択的にラックが移動することができる。


【手続補正１２】
【補正対象書類名】明細書
【補正対象項目名】００２３
【補正方法】変更
【補正の内容】
【００２３】
また、本願請求項９に記載の発明は、請求項１〜８のいずれかに記載されたプリンタにおけるインクリボンの巻き取り装置において、前記キャリッジはペーパーギャップを調節するために移動可能であることを特徴とするものである。本発明によれば、ペーパーギャップを調節するためにキャリッジが移動したときでも、ラックが常時ピニオンに付勢されて歯合状態を維持することができる。


【手続補正１３】
【補正対象書類名】明細書
【補正対象項目名】００２４
【補正方法】変更
【補正の内容】
【００２４】
また、本願請求項１０に記載の発明は、請求項１〜９に記載されたプリンタにおけるインクリボンの巻き取り装置を備えることを特徴とするプリンタである。かかるプリンタでは、ラックからピニオンへの駆動伝達が確実に行われるため、インクリボンの巻き取りが確実になり、ヘッドに臨むインクリボンの面が常に新しい面に確実に変わるため、綺麗な印刷を行うことができる。


【手続補正１４】
【補正対象書類名】明細書
【補正対象項目名】００５０
【補正方法】変更
【補正の内容】
【００５０】
【発明の効果】
請求項１に記載の発明によれば、可撓性または弾性を有するラックがピニオンに圧接しているから、ラック及びピニオンの歯が確実に歯合することができる。またピニオンとラックとの相対距離が近づいたり離れたりするように移動しても、ラックが撓んだり、弾性的に変形してラック及びピニオンの歯合状態を維持することができる。更に、ラックをピニオンに対してほぼ一定方向から圧接することができるから、ラック方向の力が生じにくく、ラック方向の力の急激な変化による衝撃や振動を生じにくい。また、ラックとピニオンとの相対位置関係が変化した場合、ラックの一端を支点としてラックの他端が回動しながら、ガイドによりラックがその圧接方向にのみ撓みあるいは弾性変形する。これによりラックが滑らかな円弧を描いた状態でピニオンとの歯合状態を維持する。
【手続補正１５】
【補正対象書類名】明細書
【補正対象項目名】００５１
【補正方法】変更
【補正の内容】
【００５１】
また請求項３に記載の本発明によれば、ラックとピニオンとの相対位置が変化しても、ラックがピニオンに対して付勢されているため、ラック及びピニオンの歯合状態を常に維持することができる。更に、ラックをピニオンに対してほぼ一定方向から付勢することができるから、ラック方向の力が生じにくく、ラック方向の力の急激な変化による衝撃や振動を生じにくい。